(57)【特許請求の範囲】
【請求項１】
少なくとも１つの雄型端子を所定の位置に保持している雄型端子保持部材と、そして、
雄型端子保持部材が接近及び離間可能であり、雄型端子保持部材が接近及び離間することにより少なくとも１つの雄型端子が挿入及び離脱され少なくとも１つの雄型端子との電気的な接続及び分離が行われる少なくとも１つの雌型端子部を保持している雌型端子保持部材と、
を備えていて、
前記雌型端子部が、
雄型端子の径よりも大きな径を有し雌型端子保持部材に対する雄型端子保持部材の接近及び離間により雄型端子が挿入及び離脱される開口を有する囲み部と、
囲み部で囲まれた空間内に相互に隣接して配置され夫々が雄型端子の径よりも小さな径を有し雌型端子部に対する雄型端子の挿脱方向に移動可能である複数の雌型端子と、
囲み部で囲まれた空間内において前記複数の雌型端子に対し前記開口から遠い側に配置され前記複数の雌型端子を前記開口に向かい付勢するとともに前記複数の雌型端子と電気的に接続されている導電性の複数の弾性体と、そして、
前記複数の弾性体と電気的に接続された外部接続端子と、
を備えていることを特徴とするコネクター。
【請求項２】
雄型端子保持部材が相互に離間した複数の雄型端子を含み、雌型端子保持部材が複数の雄型端子に対応した複数の雌型端子部を含み、複数の雌型端子部の複数の囲み部は相互に電気的に絶縁されている、ことを特徴とする請求項１に記載のコネクター。
【請求項３】
雌型端子保持部材において前記複数の囲み部は相互に隣接して配置されている、ことを特徴とする請求項２に記載のコネクター。
【請求項４】
雄型端子の横断面形状と雌型端子の横断面形状と囲み部の横断面形状とが相似形である、ことを特徴とする請求項１乃至３の何れか１項に記載のコネクター。
【請求項５】
雄型端子の横断面形状と雌型端子の横断面形状と囲み部の横断面形状とが多角形である、ことを特徴とする請求項４に記載のコネクター。
【請求項６】
雄型端子の横断面形状と雌型端子の横断面形状と囲み部の横断面形状とが正六角形である、ことを特徴とする請求項５に記載のコネクター。
【請求項７】
前記複数の弾性体の夫々が金属製のコイルばねである、ことを特徴とする請求項１乃至６の何れか１項に記載のコネクター。
【発明の詳細な説明】
【技術分野】
【０００１】
本発明の実施形態は、コネクターに関係している。
【背景技術】
【０００２】
コネクターは、雄型端子を保持した雄型端子保持部材と、雄型端子保持部材に対し接近及び離間可能であり雄型端子保持部材に対し接近及び離間することにより雄型端子が挿脱される雌型端子を保持した雌型端子保持部材と、を含む。コネクターには以下のことが要求されている。その要求とは、雄型端子が雌型端子に挿入されている間には雄型端子と雌型端子との間に所望の電流及び所望の電気信号が確実に流れることを保障し、雄型端子が雌型端子から離脱する時にはこの離脱が容易かつ確実に行われることを保障することである。
【０００３】
多段式の飛翔体又は分離可能な搭載物を搭載した飛翔体において飛翔体の飛翔中に相互に分離される２つの物体間のコネクターでは、上記要求がより高度になっている。また、飛翔体と飛翔体の発射台との間のコネクターでも、上記要求がより高度になっている。これらの分野において使用されているコネクターは、特にアンビリカルコネクターと呼ばれている。
【先行技術文献】
【特許文献】
【０００４】
【特許文献１】特開平４−２１８２７６号公報
【発明の概要】
【発明が解決しようとする課題】
【０００５】
従来のアンビリカルコネクターにおいては、高度な上記要求を確実に満たす為に、雄型端子と雌型端子とを精密に作成する必要があり、また雄型端子保持部材及び雌型端子保持部材において雄型端子及び雌型端子を精密に位置決めする必要があり、さらには雄型端子保持部材及び雌型端子保持部材とそれらを使用する２つの物体に対し精密に位置決めする必要がある。
【０００６】
精密な作成の為に必要な精密な機械加工及び精密な位置決めの為の作業は、従来のアンビリカルコネクターの製造コスト及び組立コストを高くしている。
【０００７】
この実施形態の目的は、製造コスト及び組立コストを従来よりも安くすることができ、しかも従来と同様な高度な前述した如き要求を確実に満たすことが出来るコネクターを提供することである。
【課題を解決するための手段】
【０００８】
実施形態に従ったコネクターは、少なくとも１つの雄型端子を所定の位置に保持している雄型端子保持部材と、そして、雄型端子保持部材が接近及び離間可能であり雄型端子保持部材が接近及び離間することより少なくとも１つの雄型端子が挿入及び離脱され少なくとも１つの雄型端子との電気的な接続及び分離が行われる少なくとも１つの雌型端子部を保持している雌型端子保持部材と、を備えている。そして、前記雌型端子部が、雄型端子の径よりも大きな径を有し雌型端子保持部材に対する雄型端子保持部材の接近及び離間により雄型端子が挿入及び離脱される開口を有する囲み部、及び囲み部で囲まれた空間内に相互に隣接して配置され夫々が雄型端子の径よりも小さな径を有し雌型端子部に対する雄型端子の挿脱方向に移動可能である複数の雌型端子を備えている。前記雌型端子部は、囲み部で囲まれた空間内において前記複数の雌型端子に対し前記開口から遠い側に配置され前記複数の雌型端子を前記開口に向かい付勢するとともに前記複数の雌型端子と電気的に接続されている導電性の複数の弾性体と、そして、前記複数の弾性体と電気的に接続された外部接続端子と、を備えている。
【図面の簡単な説明】
【０００９】
【図１】図１は、実施形態に従ったコネクターの雄型端子保持部材の概略的な側面図である。
【図２】図２は、図１の雄型端子保持部材の概略的な下面図である。
【図３】図３は、前記実施形態に従ったコネクターの雌型端子保持部材の概略的な平面図である。
【図４】図４は、図３の雌型端子保持部材の複数の雌型端子部の１つの拡大された平面図である。
【図５】図５は、図４のＶ−Ｖ線に沿った概略的な縦断面図である。
【図６】図６は、図１の雄型端子保持部材の１つの雄型端子が図３の雌型端子保持部材の対応する１つの雌型端子部に挿入された状態を一部を断面にして示す概略的な側面図である。
【図７】図７は、図１の雄型端子保持部材と図３の雌型端子保持部材とが所定の相対位置に配置されている間に、図１の雄型端子保持部材の複数の雄型端子が図３の雌型端子保持部材の対応している複数の雌型端子部に挿入された時に、複数の雄型端子により押圧される複数の雌型端子を示す概略的な平面図である。
【図８】図８は、図１の雄型端子保持部材と図３の雌型端子保持部材とが所定の相対位置に配置されている間に、図１の雄型端子保持部材の複数の雄型端子が図３の雌型端子保持部材の対応している複数の雌型端子部に挿入された時に、複数の雄型端子により図７の場合とは別の複数の雌型端子が押圧されたことを示す概略的な平面図である。
【発明を実施するための形態】
【００１０】
以下、実施形態に従ったコネクターについて、添付の図面を参照して説明する。
【００１１】
実施形態に従ったコネクターは、図１及び図２中に示されている如き、雄型端子保持部材１０を備える。雄型端子保持部材１０は絶縁材料で形成されていて、その一面１２の少なくとも１つの所定の位置に棒状の雄型端子１４を保持している。図１及び図２では、一面１２の複数の所定の位置に複数の雄型端子１４が保持されているのを見ることが出来る。この実施形態において、複数の雄型端子１４は相互に同じ外形寸法で相互に同じ外形状を有していて相互に同じ材料で形成されている。しかしながら、複数の雄型端子１４は相互に別の外形寸法で相互に別の外形状であって相互に別の材料で形成されていても良い。さらに複数の雄型端子１４は幾つかのグループに分けられ、同じグループの複数の雄型端子１４は相互に同じ外形寸法で相互に同じ外形状であって相互に同じ材料で形成されているが別のグループの雄型端子１４とは別の外形寸法で別の外形状であって別の材料で形成されていても良い。
【００１２】
雄型端子保持部材１０は一面１２とは異なる他面１６に、夫々の雄型端子１４に電気的に接続されている外部接続端子１８を保持している。他面１６は、一面１２とは反対の方向を向いていて良いし、一面１２と交差する面でも良い。この実施形態では、他面１６は一面１２とは正反対の方向を向いている。
【００１３】
実施形態に従ったコネクターはまた、図３乃至図５中に示されている如き、雌型端子保持部材２０を備える。雌型端子保持部材２０は雄型端子保持部材１０とは独立して絶縁材料により形成されていて、雄型端子保持部材１０の一面１２に対応し一面１２が接近および離間が可能な一面２２を有している。雌型端子保持部材２０はその一面２２の少なくとも１つの所定の位置に、雄型端子保持部材１０の少なくとも１つの雄型端子１４を挿脱可能に受け入れ可能な雌型端子部２４を保持している。
【００１４】
図６中に示されている如く、雌型端子保持部材２０の一面２２に対し雄型端子保持部材１０の一面１２が所定の相対位置に配置されている間に、雌型端子保持部材２０の一面２２に対し雄型端子保持部材１０の一面１２が接近されると、少なくとも１つの雌型端子部２４に少なくとも１つの雄型端子１４が挿入される。この結果、少なくとも１つの雌型端子部２４に対する少なくとも１つの雄型端子１４の電気的な接続が行われる。雌型端子保持部材２０の一面２２から雄型端子保持部材１０の一面１２が離間されると、雄型端子保持部材１０の一面１２の少なくとも１つの雄型端子１４が少なくとも１つの対応している雌型端子部２４から離脱する。この結果、少なくとも１つの雌型端子部２４に対する少なくとも１つの雄型端子１４の電気的な接続が遮断される。図３では、雌型端子保持部材２０の一面２２の複数の所定の位置に複数の雌型端子部２４が保持されているのを見ることが出来る。
【００１５】
雌型端子保持部材２０の一面２２に対し雄型端子保持部材１０の一面１２が所定の相対位置に配置されている間に、雄型端子保持部材１０の一面１２の複数の所定の位置の複数の雄型端子１４は雌型端子保持部材２０の一面２２の複数の所定の位置の複数の雌型端子部２４に対応する。
【００１６】
図３乃至図６中に示されている如く、雌型端子部２４は雌型端子保持部材２０の一面２２に開口した開口２６を有した囲み部２８を備えている。開口２６は、対応している雄型端子１４の径よりも大きな径を有している。雌型端子保持部材２０の一面２２に対し雄型端子保持部材１０の一面１２が所定の相対位置で配置されている間に雌型端子保持部材２０の一面２２に対し雄型端子保持部材１０の一面１２が接近されると、雄型端子１４が対応している開口２６に挿入される。この実施形態において、複数の雌型端子部２４の複数の囲み部２８は相互に同じ外形寸法で相互に同じ外形状をしていて相互に同じ材料で形成されている。しかしながら、複数の雌型端子部２４の複数の囲み部２８は相互に別の外形寸法で相互に別の外形状であって相互に別の材料で形成されていても良い。さらに複数の囲み部２８は幾つかのグループに分けられ、同じグループの複数の囲み部２８は相互に同じ外形寸法で相互に同じ外形状で相互に同じ材料で形成されているが別のグループの囲み部２８とは別の外形寸法で別の外形状であって別の材料で形成されていても良い。
【００１７】
雌型端子部２４はまた、囲み部２８で囲まれた空間内に相互に隣接して配置され夫々が雄型端子１４の径よりも小さな径を有し雌型端子部２４に対する雄型端子１４の挿脱方向に移動可能な複数の棒状の雌型端子３０を備えている。この実施形態において、複数の囲み部２８の夫々の空間中の複数の雌型端子３０の夫々の横断面の寸法及び外形状は相互に同じであり相互に同じ材料で形成されているが、前記挿脱方向に沿った夫々の長手方向の長さは以下に説明する理由により相互にわずかに異なっている。しかしながら、複数の雌型端子部２４の間では、夫々の雌型端子部２４の複数の雌型端子３０は相互に同じ横断面寸法で相互に同じ外形状であって相互に同じ材料で形成されていても、別の雌型端子部２４の複数の雌型端子３０とは別の横断面寸法で別の外形状であって別の材料で形成されていても良い。さらに複数の雌型端子部２４は幾つかのグループに分けられ、同じグループの複数の雌型端子部２４の夫々の複数の雌型端子３０は相互に同じ横断面寸法で相互に同じ外形状であって相互に同じ材料で形成されていても、別のグループの複数の雌型端子部２４の夫々の複数の雌型端子３０とは別の横断面寸法で別の外形状であって別の材料で形成されていても良い。
【００１８】
雌型端子部２４はまた、囲み部２８で囲まれた空間内において複数の雌型端子３０に対し開口２６から遠い側に配置された複数の弾性体３２を備えている。複数の弾性体３２は導電性を有し、複数の雌型端子３０を開口２６に向かい付勢するとともに複数の雌型端子３０と電気的に接続されている。この実施形態において、複数の弾性体３２の夫々は複数の雌型端子３０の夫々に対応しており、金属製のコイルばねである。この実施形態において、複数の弾性体３２は相互に同じ外形寸法で相互に同じ外形状をしており、相互に同じ材料で形成され相互に同じ弾性力を発揮させることが出来る。しかしながら、複数の雌型端子部２４の間では、夫々の雌型端子部２４の複数の弾性体３２は相互に同じ外形寸法で相互に同じ外形状であって相互に同じ材料で形成されていて相互に同じ弾性力を発揮させても、別の雌型端子部２４の複数の弾性体３２とは別の外形寸法で別の外形状であって同じ材料で形成されているが異なった弾性力を発揮させても良いし、別の雌型端子部２４の複数の弾性体３２とは別の外形寸法で別の外形状であって別の材料で形成されていて異なった弾性力を発揮させても良い。さらに複数の雌型端子部２４は幾つかのグループに分けられ、同じグループの複数の雌型端子部２４の夫々の複数の弾性体３２は相互に同じ外形寸法で相互に同じ外形状であって相互に同じ材料で形成されていて相互に同じ弾性力を発揮させても、別のグループの複数の雌型端子部２４の夫々の複数の弾性体３２とは別の外形寸法で別の外形状であって同じ材料で形成されているか又は別の材料で形成されていて異なった弾性力を発揮させても良い。
【００１９】
雌型端子部２４はまた、複数の弾性体３２と電気的に接続された外部接続端子３４を備えている。
【００２０】
この実施形態に於いて、複数の弾性体３２と外部接続端子３４とは、開口２６とは反対側の囲み部２８の端に設けられている底壁３６に支持されている。底壁３６は全体が電気絶縁性の材料により形成されている。外部接続端子３４は、底壁３６の内面に沿い広がって底壁３６の側の複数の弾性体３２の端に接触し複数の弾性体３２と電気的に接続されている接点板３４ａと、接点板３４ａから底壁３６を貫通して外部に突出した棒状の端子本体３４ｂとを含む。この実施形態において、複数の雌型端子部２４の複数の外部接続端子３４は相互に同じ外形寸法で相互に同じ外形状を有していて相互に同じ材料で形成されている。しかしながら、複数の雌型端子部２４の複数の外部接続端子３４は相互に別の外形寸法で相互に別の外形状であって相互に別の材料で形成されていても良い。さらに複数の外部接続端子３４は幾つかのグループに分けられ、同じグループの複数の外部接続端子３４は相互に同じ外形寸法で相互に同じ外形状であり相互に同じ材料で形成されているが別のグループの外部接続端子３４とは別の外形寸法で別の外形状であって別の材料で形成されていても良い。
【００２１】
この実施形態においては、複数の弾性体３２の側の複数の雌型端子３０の端に複数の導電性の板状のストッパ３８が固定されている。複数の板状のストッパ３８は、開口２６に向かう方向において相互に係合する。囲み部２８の内周面において開口２６から前記挿脱方向に沿って所定の距離だけ離れた位置には、前記内周面に隣接した雌型端子３０のストッパ３８が開口２６に向かい係合する飛び出し防止突起４０が設置されている。複数のストッパ３８と飛び出し防止突起４０のお蔭により、複数の雌型端子３０は複数の弾性体３２の弾性力により囲み部２８の開口２６から外方に飛び出すことを防止されている。しかも複数の雌型端子３０は、図５中に示されている如く、複数のストッパ３８と飛び出し防止突起４０とが相互に係合している間に、囲み部２８の開口２６の側の複数の雌型端子３０の端が開口２６で同一平面に配置されるよう前述した長さが設定されている。
【００２２】
底壁３６は外部接続端子３４を伴って囲み部２８とは別に作成されている。底壁３６は、開口２６とは反対側の囲み部２８の端の側から囲み部２８の空間中に複数のストッパ３８を伴った複数の雌型端子３０及び複数の弾性体３２が挿入された後に、開口２６とは反対側の囲み部２８の端に公知の固定手段により固定される。このことにより底壁３６の外部接続端子３４の接点板３４ａは、複数の弾性体３２を介して複数の雌型端子３０の複数のストッパ３８を前述した如く相互に係合させるとともに前記内周面に隣接した雌型端子３０のストッパ３８を囲み部２８の内周面の飛び出し防止突起４０に係合させ、複数の弾性体３２に複数の雌型端子３０と接点板３４ａとの間で所定の弾性力を蓄積させる。この弾性力により、複数の雌型端子３０の複数のストッパ３８に対し複数の弾性体３２が押圧されるとともに、複数の弾性体３２は底壁３６の外部接続端子３４の接点板３４ａを押圧する。即ち、夫々の雌型端子部２４において、複数の雌型端子３０は複数の弾性体３２を介し底壁３６の外部接続端子３４の接点板３４ａに確実かつ電気的に接続される。
【００２３】
この実施形態において複数の囲み部２８は、相互に電気的に絶縁されている。そのために、複数の囲み部２８の夫々は、少なくともその外周面が電気的な絶縁性を有していて、好ましくは囲み部２８の全体が電気的な絶縁性の材料により形成されている。
【００２４】
この実施形態の雌型端子保持部材２０において、複数の囲み部２８は相互に隣接して配置されており、しかも雄型端子１４及び雌型端子３０ともども相似形の横断面形状を有している。この横断面形状は多角形であることが好ましく、さらには図４及び図５中に示されている如く正六角形であることがより好ましい。
【００２５】
正六角形の横断面は、囲み部２８，雄型端子１４及び雌型端子３０の夫々に、撓みに対する高い強度と軽量化とコンパクト化をもたらす。しかも、図３中に示されている如く、隣り合う正六角形の一辺どうしを相互に隣接させるよう複数の正六角形を配列することにより、複数の正六角形の組み合わせの軽量化とコンパクト化とを損なうことなく強度も高く出来る。
【００２６】
この実施形態においては、雌型端子保持部材２０もまた六角形の平面形状を有していて、その周面と他面とが補強の為のケース４２により覆われている。
【００２７】
前述した如く構成されている実施形態に従った雄型端子保持部材１０及び雌型端子保持部材２０は、雌型端子保持部材２０の一面２２に対し雄型端子保持部材１０の一面１２を所定の相対位置で配置させて雄型端子保持部材１０の一面１２の複数の所定の位置の複数の雄型端子１４を雌型端子保持部材２０の一面２２の複数の所定の位置の複数の雌型端子部２４に対応させた後に、雌型端子保持部材２０の一面２２に対し雄型端子保持部材１０の一面１２を接近させると、複数の雄型端子１４を複数の雌型端子部２４の囲み部２８の開口２６中に挿入させることができる。
【００２８】
そして、図６中に示されている如く、１つの雄型端子１４の先端は対応する１つの雌型端子部２４の囲み部２８の中の複数の雌型端子３０の中の幾つかの先端に当接し、これら幾つかの雌型端子３０をそれ等が対応している弾性体３２の弾性力に抗して押し下げる。この時、１つの雄型端子１４の先端と前記幾つかの雌型端子３０の先端とは前記弾性力のお蔭で確実に接触して相互間の電気的な接続が確実に行なわれる。また１つの雄型端子１４の側面の幾つかの部分が複数の雌型端子３０の中の前記幾つかの雌型端子３０に隣接しているが１つの雄型端子１４には押し下げられていない別の幾つかの雌型端子３０の側面に接すれば、そこにおいても相互間の電気的な接続が行われる。
【００２９】
雌型端子保持部材２０の複数の雌型端子部２４の複数の囲み部２８の夫々の開口２６の径が雄型端子保持部材１０の複数の雄型端子１４の夫々の径よりも大きい。従って、雄型端子保持部材１０及び雌型端子保持部材２０のそれらを使用する物体に対する位置決め精度，雄型端子保持部材１０及び雌型端子保持部材２０における雄型端子１４及び雌型端子部２４の位置決め精度，そして雄型端子１４及び雌型端子部２４の囲み部２８の開口２６の加工精度の合計が、雌型端子保持部材２０の複数の雌型端子部２４の複数の囲み部２８の夫々の開口２６の径と雄型端子保持部材１０の複数の雄型端子１４の夫々の径との差異よりも小さければ、雌型端子保持部材２０の一面２２に対し雄型端子保持部材１０の一面１２を所定の相対位置で配置させて雄型端子保持部材１０の一面１２の複数の所定の位置の複数の雄型端子１４を雌型端子保持部材２０の一面２２の複数の所定の位置の複数の雌型端子部２４に対応させた後に、雌型端子保持部材２０の一面２２に対し雄型端子保持部材１０の一面１２を接近させると、複数の雄型端子１４を複数の雌型端子部２４の囲み部２８の開口２６中に確実に挿入させることができる。ひいては、前述した如く、複数の雄型端子１４の夫々を、対応する複数の雌型端子部２４の囲み部２８の開口２６中の複数の雌型端子３０中の幾つかに必ず確実に電気的に接続させることが出来る。
【００３０】
このことは、図７及び図８から明らかである。
【００３１】
図７に於いては、雌型端子保持部材２０の複数の雌型端子部２４の複数の囲み部２８の夫々の開口２６の径と雄型端子保持部材１０の複数の雄型端子１４の夫々の径との差異が前述した種々の精度の合計の範囲内にあり、雄型端子保持部材１０と雌型端子保持部材２０とが所定の相対位置に配置されている間に、雄型端子保持部材１０の複数の雄型端子１４が雌型端子保持部材２０の対応している複数の雌型端子部２４に挿入された時に、夫々の雄型端子１４（太い正六角形の輪郭線で示されている）により対応している雌型端子部２４において押圧される複数の雌型端子３０（細線の斜線で示されている）が囲み部２８の中心から上方にあることが示されている。
【００３２】
図８に於いては、雌型端子保持部材２０の複数の雌型端子部２４の複数の囲み部２８の夫々の開口２６の径と雄型端子保持部材１０の複数の雄型端子１４の夫々の径との差異が前述した種々の精度の合計の範囲内にあり、雄型端子保持部材１０と雌型端子保持部材２０とが所定の相対位置に配置されている間に、雄型端子保持部材１０の複数の雄型端子１４が雌型端子保持部材２０の対応している複数の雌型端子部２４に挿入された時に、夫々の雄型端子１４（太い正六角形の輪郭線で示されている）により対応している雌型端子部２４において押圧される複数の雌型端子３０（細線の斜線で示されている）が囲み部２８の中心から斜め下方にあることが示されている。
【００３３】
さらに雄型端子保持部材１０及び雌型端子保持部材２０を使用する２つの物体が雄型端子保持部材１０の雄型端子１４の前述した挿脱方向に沿い相互に遠ざかるときには、雄型端子１４が対応する雌型端子部２４の囲み部２８の空間中の複数の雌型端子３０中で押し下げていた前述した幾つかの雌型端子３０の弾性体３２に蓄積されていた弾性力のお蔭により、対応する雌型端子部２４の囲み部２８の空間中から開口２６を介し容易に確実に外部に押し出される。従って、雄型端子保持部材１０及び雌型端子保持部材２０は相互に容易かつ、確実に分離され、雄型端子１４は対応する雌型端子部２４との電気的な接続を容易かつ確実に遮断される。
【００３４】
このような雄型端子保持部材１０及び雌型端子保持部材２０を備えている実施形態のコネクターは、多段式の飛翔体又は分離可能な搭載物を搭載した飛翔体において飛翔体の飛翔中に相互に分離される２つの物体間の為のアンビリカルコネクター、また、飛翔体と飛翔体の発射台との間のアンビリカルコネクター、として、最適に使用されることが出来る。
【００３５】
しかも、このような雄型端子保持部材１０及び雌型端子保持部材２０を備えている実施形態のコネクターによるアンビリカルコネクターは、前述したことから明らかなように、従来のアンビリカルコネクターにおいて要求されていた程度に高度な、雄型端子及び雌型端子の精密な機械加工精度，雄型端子保持部材及び雌型端子保持部材における雄型端子及び雌型端子の精密な位置決め精度，さらには雄型端子保持部材及び雌型端子保持部材のそれらを使用する２つの物体に対する精密な位置決め精度は不要である。
【００３６】
従ってこの実施形態のコネクターによるアンビリカルコネクターは、従来のアンビリカルコネクターに比べ製造コスト及び組立コストを安くすることができ、しかも従来と同様な高度な前述した如き要求を確実に満たすことが出来る。
【００３７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３８】
１０…雄型端子保持部材、１２…一面、１４…雄型端子、１６…他面、１８…外部接続端子、２０…雌型端子保持部材、２２…一面、２４…雌型端子部、２６…開口、２８…囲み部、３０…雌型端子、３２…弾性体、３４…外部接続端子、３４ａ…接点板、３４ｂ…端子本体、３６…底壁、３８…ストッパ、４０…飛び出し防止突起、４２…ケース。
【要約】      （修正有）【課題】製造コスト及び組立コストを従来よりも安くでき、確実な電気接続と確実で容易な相互分離が可能なコネクターを提供する。【解決手段】コネクターは、雄型端子１４を所定位置に保持した雄型端子保持部材１０及び雄型端子保持部材が接離することにより雄型端子が挿脱される雌型端子部２４を保持した雌型端子保持部材２０を備える。雌型端子部は、雄型端子の径より大きな径を有し雌型端子保持部材に対する雄型端子保持部材の接近・離間により雄型端子が挿入・離脱される開口を有する囲み部２８と、囲み部の空間内に相互に隣接して配置され夫々が雄型端子の径よりも小さな径を有し雌型端子部に対する雄型端子の挿脱方向に移動可能な複数の雌型端子３０と、囲み空間内で雌型端子に対し開口から遠い側に配置され雄型端子を開口に向かい付勢し雌型端子と電気接続される導電性の複数の弾性体３２と、弾性体と電気接続された外部接続端子３４と、を備える。【選択図】図６【図１】
0006035383.tif 000002
【図２】
0006035383.tif 000003
【図３】
0006035383.tif 000004
【図４】
0006035383.tif 000005
【図５】
0006035383.tif 000006
【図６】
0006035383.tif 000007
【図７】
0006035383.tif 000008
【図８】
0006035383.tif 000009